(57)【要約】【課題】書籍に記載された内容に初めて接した人であっても、視覚、触覚、聴覚及び嗅覚を利用することにより、当該書籍の内容を理解することが可能なユニバーサル・デザインの書籍装置を提供することを課題とする。【解決手段】本発明の書籍装置は、複数のページで構成される書籍と、前記書籍を載置可能な台部と、を有する書籍装置であって、前記書籍は、開かれているページのページ数を検出するページ検出部と、表現する物体の表面の状態を擬似再現する表面層を有する絵柄部と、を含み、前記台部は、前記書籍を載置する書籍載置部と、前記ページ検出部で検出したページに対応する部分の物語を音声で読み上げる音声発生部と、前記ページ検出部で検出したページに対応する香気を発生させる香気発生部と、を含むことを有することを特徴とする。【選択図】図１
2010188684.tif 000002
【特許請求の範囲】
【請求項１】
複数のページで構成される書籍と、前記書籍を載置可能な台部と、を有する書籍装置であって、
前記書籍は、
開かれているページのページ数を検出するページ検出部と、
表現する物体の表面の状態を擬似再現する表面層を有する絵柄部と、を含み、
前記台部は、
前記書籍を載置する書籍載置部と、
前記ページ検出部で検出したページに対応する部分の物語を音声で読み上げる音声発生部と、
前記ページ検出部で検出したページに対応する香気を発生させる香気発生部と、を含み、
前記音声発生部は、
前記ページ検出部で検出したページ数番号を読み取るページ受信部と、
前記ページ受信部で受信したページ数番号に対応する物語を選定する物語選択部と、
前記物語選択部で選択した物語を音声出力する音声出力部と、を有し、
前記香気発生部は、
複数の香料を収納する香料収納部と、
前記ページ受信部で受信したページ数番号に対応する香気を構成する香料を選択する香料選択部と、
前記香料選択部で選択した香料に対応する開口角度を指示する開口指示部と、
香気を書籍の表層方向に拡散する拡散部と、を有することを特徴とする書籍装置。
【請求項２】
前記音声発生部は、物語と共に、前記絵柄部の内容に対応する音声を流すことを特徴とする請求項１に記載の書籍装置。
【請求項３】
前記絵柄部は、前記書籍の紙面に対して隆起していることを特徴とする請求項１若しくは２のいずれか１に記載の書籍装置。
【請求項４】
前記書籍は、文章と、前記文章と同一の内容を点字で表す点字文章と、を有し、
前記文章と前記点字文章とが併記されていることを特徴とする請求項１乃至３のいずれか１に記載の書籍装置。
【発明の詳細な説明】
【技術分野】
【０００１】
本発明は、複数のページで構成される書籍と、当該書籍を載置可能な台部とを有する書籍装置に関する技術であって、絵の内容の状態（例えば、つるつるしている、ふわふわしている等）を再現した絵及び香気によって書籍の物語の内容を誰もが理解できるユニバーサル・デザインの書籍装置に関する。
【背景技術】
【０００２】
近年、活字離れの問題は悪化の一途をたどっており、特に若者の活字離れは深刻な問題となっている。若者の活字離れの原因の一つとして幼い頃からの読書習慣の欠如が挙げられる。幼少期から書籍や活字に慣れ親しませるために幼児向けの書籍が数多く出版されているが、問題の解決にはつながっていない。
【０００３】
一方で、従来の書籍には、文章とその内容理解を助けるための絵が記載されているが、記載されている名詞等の語句を読者が理解できない場合、当該読者は物語を理解しづらく、物語の途中で読書を中断若しくは中止してしまうという問題がある。
また、仮に最後まで読破したとしても、読者は内容を理解しきれていない状態であり、作者の意図は読者へ伝わっていない可能性が高い。
【０００４】
特に、人生経験の浅い幼児及び児童、及び視覚的に実物を捉えることが困難な視覚障害者にとっては、書籍に記載された世界を想像し、その内容を理解することは難しい場合が多く、その結果、書籍に慣れ親しむことなく、活字離れを助長している。
【０００５】
そこで、絵本の絵を隆起させて、絵によって描かれた動物の表面の様態を象徴する素材を当該絵の表面に貼付する絵本が発明されている（特許文献１）。
特許文献１によれば、読者は、絵の表面を触ることにより、そこに表された物体の表面の様態を理解することができ、さらに特定部位の表面に形成された凸部を押すと、当該特定部位の名称を音声により知ることができる。
【０００６】
しかし、特許文献１で示されているような絵本で示される絵は、登場人物（動物）等のような物語の中心の物体に限られ、背景等の物語の世界観を示す全体的な絵に適用されることはなかった。
【０００７】
また、音声読み上げ機能が付与されていても、当該音声読み上げ機能はあくまでも書籍に記された物語の文言を読み上げる機能であり、例えば嵐の場面では雨風の音や雨の匂い、海上の場面では波音や潮の匂い等、物語の世界を理解する上で非常に有用である音や香りについては従来の書籍からは得られなかった。
【０００８】
なお、書籍において香りを発散させる手法については、特許文献２に示されるように、香料を収納した収納体を書籍と一体化させる手法等が知られている。
【０００９】
しかし、特許文献２の手法では、香りは読者が当該書籍を読んでいない（開いていない）時も常時発散され続け、当該香料が複数のページ若しくは場所に配置されている時には、複数の香料から発散される香りが混ざり合ってしまうという問題があった。
【００１０】
さらに、映像や音声に合わせて発散させる香りを変化させる手法については、特許文献３に示されるように、香料ケースの蓋を開閉し、送風機により漂い方を調整する手法が知られている。
【００１１】
しかし、特許文献３での香料は、リラクゼーション目的でアロマ香料等の利用者が設定した種類の香料に限られ、利用者にとって未知の情報が得られるものではなかった。
【先行技術文献】
【特許文献】
【００１２】
【特許文献１】特開２００４−９７３１４号公報（第２乃至５頁、図１）
【特許文献２】特許第３８３２１２４号公報（第２頁、図２）
【特許文献３】特開２００５−１４３６２９号公報（第９頁、図２）
【発明の概要】
【発明が解決しようとする課題】
【００１３】
上記問題点に鑑み、本発明は、書籍に記載された内容に初めて接した人であっても、視覚、触覚、聴覚及び嗅覚を利用することにより、当該書籍の内容を理解することが可能なユニバーサル・デザインの書籍装置を提供することを課題とする。
【課題を解決するための手段】
【００１４】
上記課題を解決するために、本発明の書籍装置は、複数のページで構成される書籍と、前記書籍を載置可能な台部と、を有する書籍装置であって、前記書籍は、開かれているページのページ数を検出するページ検出部と、表現する物体の表面の状態を擬似再現する表面層を有する絵柄部と、を含み、前記台部は、前記書籍を載置する書籍載置部と、前記ページ検出部で検出したページに対応する部分の物語を音声で読み上げる音声発生部と、前記ページ検出部で検出したページに対応する香気を発生させる香気発生部と、を含み、前記音声発生部は、前記ページ検出部で検出したページ数番号を読み取るページ受信部と、前記ページ受信部で受信したページ数番号に対応する物語を選定する物語選択部と、前記物語選択部で選択した物語を音声出力する音声出力部と、を有し、前記香気発生部は、複数の香料を収納する香料収納部と、前記ページ受信部で受信したページ数番号に対応する香気を構成する香料を選択する香料選択部と、前記香料選択部で選択した香料に対応する開口角度を指示する開口指示部と、香気を書籍の表層方向に拡散する拡散部と、を有することを特徴とする。
【００１５】
また、本発明の書籍装置において、前記音声発生部は、物語と共に、前記絵柄部の内容に対応する音声を流すことを特徴としていても良い。
【００１６】
さらに、本発明の書籍装置において、前記絵柄部は、前記書籍の紙面に対して隆起していることを特徴としても良く、前記書籍は、文章と、前記文章と同一の内容を点字で表す点字文章と、を有し、前記文章と前記点字文章とが併記されていることを特徴としていても良い。
【発明の効果】
【００１７】
本発明の書籍装置によれば、読者は、書籍に記載された内容を、文章で読み、絵柄部にて表現された絵を見ると共に、音声発生部より流れる音声を聞き、物体の表面の状態を擬似再現した当該絵柄部の表面層を触り、さらには香気発生部より発生する当該書籍の内容に対応した香気を嗅ぐことにより、理解することができる。
これにより、文章及び絵を見るだけ、すなわち視覚から得られる情報だけでは理解し難かった書籍の内容も、聴覚、触覚及び嗅覚から得られる情報と併せることにより、容易に理解することができるようになる。
【００１８】
例えば、読者が、当該書籍に記載された物語に出てくる物体を理解できなかった場合には、当該読者は、絵柄部の表面層を触ることにより、当該絵柄部で表現されている物体の表面状態を知ることができ、当該物体を理解し易くなる。
また、当該物体に関連する音声や香気による情報を併せて得ることにより、さらに当該物体に対する理解が容易になる。
ここで、当該物体に関連する音声とは、物語の文章とは別に、当該物体が発する音声を言う。例えば、当該物体が海である場合には波音、当該物体が蛙である場合には蛙の鳴き声、当該物体が鳥である場合には鳥の羽音等が挙げられる。なお、当該物体に関連する音声は、物語の展開に合わせて変化させる。例えば当該物体が海であっても、嵐の場面では静かな波音ではなく、波飛沫が激しく打ちつける音等にする。
また、当該物体に関連する香気とは、当該物体の周囲で感じられる香気を言う。例えば、当該物体が動物である場合には当該動物の体臭、当該物体が若葉の生い茂った木である場合には新緑の香り、当該物体が雨である場合には雨天時の空気、当該物体が土である場合には土の香り等が挙げられる。
【００１９】
当該絵柄部が紙面に対して隆起している場合には、当該絵柄部にて表現された物体の形状をより理解し易くなる。
【００２０】
さらに、点字文章を併記することにより、視覚障害者であっても、音声発生部により読み上げられる物語を聞くだけでなく、点字を追うことにより、自分のペースで読むことが可能となる。
【図面の簡単な説明】
【００２１】
【図１】本発明の書籍装置の一例を示す概略図である。
【図２】本発明の音声発生部及び香気発生部の一例を示すシステム概略図である。
【図３】本発明の香料収納部の一例を示す概略図であり、（ａ）は香料収納部を上から見た図、（ｂ）は詰め替え用香料容器の斜視図である。
【発明を実施するための形態】
【００２２】
以下、本発明を実施するための一例を図面に基づいて説明する。
【００２３】
図１に示すように、書籍装置１の台部２の書籍載置部３に載置されている書籍６には、各ページにページ番号を登録してあるページ検出用タグ７ａ及び７ｂ、絵柄部８及び文章９が記載されている。
【００２４】
読者によって書籍のページが開かれると、書籍載置部３の、左側ページのページ検出用タグ７ａと対向する位置に形成されている左側枚数検知部７１ａが左側に重なっている枚数を検知し、同様に右側ページのページ検出用タグ７ｂと対向する位置に形成されている右側枚数検知部７１ｂが右側に重なっている枚数を検知し、それぞれの枚数をページ受信部７１へ送信する。
【００２５】
左側枚数検知部７１ａ及び右側枚数検知部７１ｂが枚数を検知する手法は、特に限定されない。例えば、各ページに形成されたページ検出用タグ７ａ及び７ｂが、ページをめくられて接触することにより、枚数検知部７１ａ及び７１ｂ内部に備えた内部回路に電力が供給されるような構成にしても良い。このときの電力測定用素子は、抵抗素子、インダクタンス素子、表面弾性波素子、若しくは磁性体等、枚数に応じた電力コントロールが可能であればいずれでも良い。
また、ページ毎にページ検出用タグ７ａ及び７ｂの位置を変化させ、例えば、ページ検出用タグ７ａ及び７ｂに磁石を内蔵させることにより、書籍載置部３に形成された枚数検知部７１ａ及び７１ｂとの磁界発生位置によって判断するようにしても良い。
【００２６】
なお、図１では、ページ検出用タグ７ａ及び７ｂは、書籍の各ページに埋め込まれた状態になっているが、この形態に特定されるものではなく、紙面上に形成されていても良いし、各ページ番号が付されたボタンが台部２上に形成されていて、読者自らが選択するようになっていても良い。
【００２７】
図２は、音声発生部及び香気発生部のシステム概略図の一例を示している。ページ受信部７１は、左側枚数検知部７１ａ及び右側枚数検知部７１ｂより受信したページ番号をページ対応データベース７２へ送信する。ページ対応データベース７２には例えば表１のようなテーブルデータが格納されていて、受信したページ番号に基づいて各ページに対応する物語及び香気の番号を決定する。
【表１】
2010188684.tif 000003
【００２８】
ページ対応データベース７２は、決定した物語番号及び香気番号を、それぞれ物語選択部４２及び香料選択部５２へ送信する。この送信及び後述する受信の手段は特に限定されず、有線の電気信号や無線によることができる。
【００２９】
物語選択部４２は、ページ対応データベース７２より物語番号を受信すると、物語データベース４１へ物語内容抽出の要求を送信し、物語番号に対応した物語内容を受信する。
なお、物語データベース４１には例えば表２のようなテーブルデータが格納されていて、受信した物語番号に基づいて対応する物語内容を決定する。
【表２】
2010188684.tif 000004
【００３０】
物語選択部４２は、物語データベース４１から受信した物語内容を、音声出力部４３に送信する。音声出力部４３は、受信した物語内容のデータを音声データに変換し、出力する。
【００３１】
一方、香料選択部５２は、ページ対応データベース７２より香気番号を受信すると、香気データベース５１へ各香料の配合割合データの要求を送信し、香気番号に対応した香料配合割合データを受信する。
なお、香気データベース５１には例えば表３のように、各香料について、図３（ａ）に示す香料の蓋１０ａ、１０ｂを開ける角度が規定されたテーブルデータが格納されている。香気データベース５１は、香気番号に基づき、各香料の開口角度データを決定し、香料選択部５２へ送信する。
【表３】
2010188684.tif 000005
【００３２】
図３（ａ）では、香料が２個収納されているが、必要な分だけ例えば１０個収納されていても良く、香料が入っていない空きが含まれていても良い。
【００３３】
図３（ａ）の上側香料は開口角度０°、下側香料は開口角度４５°の状態を示している。開口角度が９０°以上の場合は、蓋１０ａだけでなく、蓋１０ｂも開くことにより、規定の角度分だけ開口する。
【００３４】
また、香料は、図３（ｂ）のような形態で別売りされても良く、書籍に合わせて、香料収納部５５の蓋部を取り外して香料詰め替え容器１２ごと香料を入れ替えるようにしても良い。このとき、香料詰め替え容器１２は１香料ごとに別々になっていても良いし、図３（ｂ）に示すように複数の香料を有していても良い。
【００３５】
香料選択部５２は、香気データベース５１から受信した各香料の開口角度データを開口指示部５３へ送信する。
【００３６】
開口指示部５３は、受信した各香料の開口角度データに基づき、香料収納部５５へ各香料の蓋１０ａ及び１０ｂの開口を指示する。
【００３７】
開口指示部５３は、香料収納部への開口指示と同時に、拡散部５４へ、書籍表層方向への送風を指示する。
【００３８】
拡散部５４は、開口指示部５３からの送風指示を受けると、内蔵されたファンを回転させることにより、書籍表層方向への送風を開始する。当該送風は、送風開始から一定時間後に停止しても良いし、開口指示部５３から次の指示を受けるまで連続して行っても良い。
【００３９】
ここで、絵柄部８の表面層は、当該絵柄部８によって表現されている物体の表面の状態を擬似再現している。例えば、ボートの船体８２は木製ボートを表現しているのであれば、木材のような触感を得られるような木目素材を使用する。
【００４０】
当該表面層は、香気発生部５からの送風により、表面の素材が動くようになっていても良い。例えば、うさぎ８３の表面層に毛を施した場合、香気発生部５からの送風に応じて当該毛が揺れるようにする。
【００４１】
また、図１では図示していないが、文章９は、点字文章を併記することにより、視覚障害者も文章を読むことが可能になる。
【００４２】
上記のように、本発明の書籍装置によれば、文章及び絵を見るだけ、すなわち視覚から得られる情報だけでは理解し難かった書籍の内容も、聴覚、触覚及び嗅覚から得られる情報と併せることにより、容易に理解することができるようになる。
【００４３】
なお、本発明は、上記実施形態に限定されるものではなく、その要旨を逸脱しない範囲で種々に変形することが可能である。
【符号の説明】
【００４４】
１  書籍装置
２  台部
３  書籍載置部
４  音声発生部
５  香気発生部
６  書籍
７ａ、７ｂ  ページ検出用タグ
８、８１、８２、８３、８４、８５  絵柄部
９  文章
１０、１０ａ、１０ｂ  蓋
１１、１１ａ、１１ｂ  香料
１２  香料詰め替え容器
【図１】
2010188684.tif 000006
【図２】
2010188684.tif 000007
【図３】
2010188684.tif 000008